(57)【要約】【課題】３６０°全方向のいずれの方向からの振動に対しても所定の免震性能を発揮させる状態を確保しつつ、建築意匠効果の向上を達成できるようにする。【解決手段】複数の弾性ゴム層１と硬質板２とが上下に交互に積層され一体化された積層ゴム部３が平面視において円形状に形成されているとともに、この積層ゴム部３の外周面全域を被覆する耐候性の保護ゴム層４が平面視において多角形状（正四角形状）に形成されている。【選択図】      図２
2004360287.tif 000002
【特許請求の範囲】
【請求項１】
複数の弾性ゴム層と硬質板とが上下に交互に積層され一体化された積層ゴム部と、この積層ゴム部の外周面全域を被覆する保護ゴム層とを備え、これら両者を金型により一体成形してなる建築用免震積層ゴムであって、
上記積層ゴム部が円形状に形成されているとともに、上記保護ゴム層が多角形状に形成されていることを特徴とする建築用免震積層ゴム。
【請求項２】
上記保護ゴム層は、正三角形〜正八角形に形成されている請求項１に記載の建築用免震積層ゴム。
【請求項３】
上記保護ゴム層は、その水平剛性が積層ゴム部の水平剛性の２０％以下になるような厚みに形成されている請求項１または２に記載の建築用免震積層ゴム。
【請求項４】
上記積層ゴム部を構成する複数の硬質板のうち、積層方向両端の硬質板は、他の硬質板よりも厚肉かつ大径であり、これら厚肉、大径硬質板の外周面を被覆する保護ゴム層の厚みは２ｍｍ以上に設定されている請求項１ないし３のいずれかに記載の建築用免震積層ゴム。
【発明の詳細な説明】
【０００１】
【発明の属する技術分野】
本発明は、例えば一般住宅建物における基礎等の下部構造物と居住空間を構成する上部構造物との間に介在させることにより、地震等の発生に伴い下部構造物に入力される振動が上部構造物に伝達されることを低減させるように用いられる建築用免震積層ゴムに関するものである。
【０００２】
【従来の技術】
この種の建築用免震積層ゴムは、一般的に、複数の弾性ゴム層と鋼板等の硬質板とを上下に交互に積層して一体化した積層ゴム部と、この積層ゴム部の外周面全域を、耐オゾン性、耐老化防止性、防錆性等の耐候性確保のために被覆する保護ゴム層とを備え、これら積層ゴム部と保護ゴム層を金型により一体に加硫成形して構成されている。
【０００３】
ところで、建築用免震積層ゴムの場合は、例えば橋梁用積層ゴム支承の場合のように、水平剛性に関し特定の方向性が要求されることがなく、３６０°全方向のいずれの方向から入力されるか不定の振動に対しても所定の免震性能を発揮させることができるように３６０°全方向でほぼ均等な水平剛性が要求される。そのため、従来では、水平剛性及び鉛直方向の支持能力を発揮する積層ゴム部が平面視において円形状に形成され、この円形状積層ゴム部の外周面全域の耐候性を確保する保護ゴム層も積層ゴム全体としての水平剛性等に悪影響が生じないように平面視において円筒形状に形成されていた（例えば、特許文献１参照）。
【０００４】
【特許文献１】
特開平１１−３４４０７６号公報の図１，図２
【０００５】
【発明が解決しようとする課題】
しかしながら、免震積層ゴムが適用される建築物は、居住空間の有効利用性及び建築意匠面等から角形に施工されている場合が多く、また、角形の建築物に用いられている柱等の強度メンバーとしても角形のものが多い。このような角形を基調とする建築物に対して外観が円形状の免震積層ゴムを設置すると、建築物自体、柱等の形状と免震積層ゴムの形状との不統一性や視覚的アンバランス等から建築物全体としての意匠効果を損ねる可能性がある。そこで、建築意匠効果を損ねないようにするために、積層ゴム部及び保護ゴム層共に角形状に形成した免震積層ゴムを用いることが考えられるが、この場合は、既述したように、水平剛性に方向性が生じて全方向からの振動に対して所定の免震性能を発揮させることができないという問題が発生する。
【０００６】
本発明は上記実情に鑑みてなされたもので、３６０°全方向のいずれの方向からの振動に対しても所定の免震性能を発揮させる状態を確保しつつ、建築意匠効果の向上を達成することができる建築用免震積層ゴムを提供することを目的としている。
【０００７】
【課題を解決するための手段】
上記目的を達成するために、本発明に係る建築用免震積層ゴムは、複数の弾性ゴム層と硬質板とが上下に交互に積層され一体化された積層ゴム部と、この積層ゴム部の外周面全域を被覆する保護ゴム層とを備え、これら両者を金型により一体成形してなる建築用免震積層ゴムであって、上記積層ゴム部が円形状に形成されているとともに、上記保護ゴム層が多角形状に形成されていることを特徴とするものである。
【０００８】
上記構成の本発明によれば、積層ゴム部が円形状であるために、３６０°全方向でほぼ等しい水平剛性及び鉛直方向支持能力が得られ、その全方向いずれの方向からの振動に対しても積層ゴム部のせん断作用によって優れた免震性能を発揮させることが可能である。それでいて、耐候性確保のための外周保護ゴム層が多角形状であるために、施工例として最も多い角形の柱等の強度メンバーを用い、かつ、全体も角形に構築されている建築物用の免震に適用した場合、建築物自体及び柱等の強度メンバーと免震積層ゴムとの形状面での統一性が図れて建築物の意匠効果を損なわず、むしろ全体の基調が統一化されることから意匠効果を高めることが可能となる。
【０００９】
本発明に係る建築用免震積層ゴムにおいて、上記保護ゴム層としては、建築物の外観形状や柱等の強度メンバーの形状に合わせて三角形〜八角形に形成することで、外見上多様性を持たせることが可能であるが、特に、請求項２に記載のように、正三角形〜正八角形に形成することにより、外周保護ゴム層の厚さの変化を極力少なくして該保護ゴム層による耐候性及び積層ゴム全体としての水平剛性等への悪影響を小さくすることができる。
【００１０】
また、本発明に係る建築用免震積層ゴムにおいて、請求項３に記載のように、上記保護ゴム層を、その水平剛性が積層ゴム部の水平剛性の２０％以下になるような厚みに形成することが望ましい。この場合は、多角形状の保護ゴム層が積層ゴム部における水平剛性に及ぼす影響が非常に少なく、積層ゴム全体としての全方向免震性能を良好に確保することができる。
【００１１】
さらに、本発明に係る建築用免震積層ゴムにおいて、請求項４に記載のように、上記積層ゴム部を構成する複数の硬質板のうち、積層方向両端の硬質板は、他の硬質板よりも厚肉かつ大径であり、これら厚肉、大径硬質板の外周面を被覆する保護ゴム層の厚みは２ｍｍ以上に設定されていることが望ましい。この場合は、積層ゴム部の積層方向両端に存在する厚肉かつ大径の硬質板により、該積層ゴムの上下構造物に対する固定設置を簡単かつ容易なものとしつつ、その厚肉、大径硬質板の耐候性も十分に確保することができる。
【００１２】
【発明の実施の形態】
以下、本発明の実施例を図面にもとづいて説明する。
図１は本発明に係る建築用免震積層ゴムの縦断面図、図２は図１のＡ−Ａ線に沿った横断面図であり、この建築用免震積層ゴム１０は、例えば天然ゴムやクロロピレンゴムなどを使用した複数の弾性ゴム層１と鋼板等の硬質板２とが上下に交互に積層され一体化された積層ゴム部３と、この積層ゴム部３の外周面全域を被覆する、例えばクロロピレンゴムやブチルゴム、エチレンプロピレンゴム、ハロゲン化ブチルゴム等の耐候性に優れた合成ゴム材料からなる保護ゴム層４とを備え、これら積層ゴム部３と保護ゴム層４とを、図示省略の加硫金型内で加熱・加圧して一体に成形してなる。
【００１３】
上記積層ゴム部３における複数の硬質板２のうち、積層方向両端の硬質板２Ａ，２Ｂは、他の硬質板２よりも厚肉かつ大径に形成されており、これら厚肉、大径硬質板２Ａ，２Ｂには、それぞれボルトやキー等の連結金具５，５を介して、基礎等の下部構造物６及び上部構造物７に固定可能な取付板８Ａ，８Ｂが固定されている。
【００１４】
上記基本構成を有する建築用免震積層ゴム１０において、上記積層ゴム部３は、図２に明示するように、平面視において円形状に形成されているとともに、上記保護ゴム層４は、平面視において正四角形状で、その水平剛性が積層ゴム部３の水平剛性の２０％以下になるような厚みに形成されている。また、保護ゴム層４のうち、上記厚肉、大径硬質板２Ａ，２Ｂの外周面を被覆する保護ゴム層４部分の最低厚み（ｔ）は２ｍｍ以上、その他の硬質板２の外周面を被覆する保護ゴム層４部分の最低厚み（ｔ１）は１０ｍｍ以上に設定されている。
【００１５】
上記のような建築用免震積層ゴム１０は、一方の取付板８Ａを、例えば一般住宅建物における基礎等の下部構造物６に固定し、他方の取付板８Ｂを上部構造物７の柱下端部等に固定して上、下両構造物７，６間に介在設置することにより、地震等の発生に伴い下部構造物６に振動が入力されたとき、積層ゴム部３のせん断変形により振動エネルギーを減衰させて上部構造物７への振動伝達を低減し、上部構造物７を振動から保護するといった免震性能を発揮すべく用いられる。
【００１６】
このような免震性能を発揮する建築用免震積層ゴム１０において、積層ゴム部３は円形状に形成されているので、３６０°全方向でほぼ等しい水平剛性が得られ、その全方向いずれの方向からの振動に対しても優れた免震性能を発揮させることができる。また、耐候性確保のために積層ゴム部３の外周に被覆されている保護ゴム層４は正四角形状であるために、角形の柱等の強度メンバーを用い、かつ、全体も角形に構築されている建築物用の免震に用いる場合、建築物自体及び柱等の強度メンバーと免震積層ゴム１０との形状面での統一性によって、建築物全体の基調を角形として視覚的になんら違和感もなく、意匠効果を高めることができる。
【００１７】
また、保護ゴム層４は、その水平剛性が積層ゴム部３の水平剛性の２０％以下になるような厚みで、かつ、厚肉、大径硬質板２Ａ，２Ｂの外周面においても最低２ｍｍ以上の厚み（ｔ）を有しているので、この保護ゴム層４の存在による水平剛性への悪影響を非常に少なくして、積層ゴム１０全体としての全方向免震性能を良好に確保することができるとともに、積層ゴム部３のうち、最も外側に張り出し位置する厚肉、大径硬質板２Ａ，２Ｂの耐候性も十分に確保して耐久性の向上を図ることができる。
【００１８】
なお、上記実施の形態では、保護ゴム層４を平面視において正四角形状に形成したが、図３に示すように、平面視で正三角形状、あるいは、図４に示すように、平面視で正八角形状に形成してもよく、また、図示は省略するが、平面視で正五角形状や正六角形状、さらには、二等辺三角形や長方形状に形成してもよい。
【００１９】
【発明の効果】
以上要するに、本発明によれば、円形状の積層ゴム部の外周面全域を、多角形状の保護ゴム層で被覆させる構成としたことにより、３６０°全方向でほぼ等しい水平剛性及び鉛直方向支持能力が得られ、その全方向いずれの方向からの振動に対しても優れた免震性能が発揮される状態を確保することができるものでありながら、角形の柱等の強度メンバーを用い、かつ、全体も角形に構築されている建築物用の免震に適用した際、建築物自体及び柱等の強度メンバーと免震積層ゴムとの形状面での統一性を図り、建築物全体の基調を一定化して建築意匠効果の向上を達成することができるという効果を奏する。
【００２０】
特に、請求項３や４の構成を採用することにより、保護ゴム層による水平剛性への悪影響を極力抑制するとともに、耐候性も十分に確保して耐久性の向上も図ることができる。
【図面の簡単な説明】
【図１】本発明に係る建築用免震積層ゴムの実施の形態を示す縦断面図である。
【図２】図１のＡ−Ａ線に沿った横断面図である。
【図３】本発明に係る建築用免震積層ゴムの他の実施の形態を示す横断面図である。
【図４】本発明に係る建築用免震積層ゴムのもう一つの実施の形態を示す横断面図である。
【符号の説明】
１  弾性ゴム層
２  硬質板
２Ａ，２Ｂ  厚肉、大径硬質板
３  積層ゴム部
４  保護ゴム層
１０  建築用免震積層ゴム
ｔ，ｔ１  保護ゴム層の厚み
【図１】
2004360287.tif 000003
【図２】
2004360287.tif 000004
【図３】
2004360287.tif 000005
【図４】
2004360287.tif 000006